(57)【要約】【課題】エアゾール式製品に用いられる定量室容量を拡充するための上流側定量室を設けた定量噴射機構において、当該上流側定量室の容量を簡単かつ容易に調整可能とする。【解決手段】エアゾール式製品の噴射操作と連動するステム２を収容したハウジング４の内部の下流側定量室Ｂに連通し、ステム２の移動により容器本体内容物の流入弁作用部（２ｄ，３）がそれまでの開状態から閉状態へと移行する構造の上流側定量室Ａに、任意の個数（一個単位または複数個積み重ねた単位）の内部容量調整用の環状部材８を選択的に配設保持できるようにした。その個数に応じる形で定量室（ハウジング外側の上流側定量室Ａ＋ハウジング内部の下流側定量室Ｂ）の実質的全体容量を減らせることができる。【選択図】図１
2014028631.tif 000002
【特許請求の範囲】
【請求項１】
エアゾール式製品の噴射操作と連動するステムを収容したハウジングの内部の下流側定量室、および当該下流側定量室と連通し、当該ステムの移動により容器本体内容物の流入弁作用部がそれまでの開状態から閉状態へと移行する構造の上流側定量室を備えた定量噴射機構において、
前記上流側定量室は、
その中に内部容量調整用の環状部材が一個単位または複数個積み重ねた単位で配設されたときにそれぞれの単位全体を受けて保持するための環状部材受け部を、定量室内底面から離間した所定高さ部分に有している、
ことを特徴とする定量噴射機構。
【請求項２】
前記上流側定量室は、
前記ハウジングと一体で下開口の上カバー体と、
当該上カバー体に取り付けられて、前記容器本体内容物の流入部を底面部分に備えた上開口の下カバー体と、からなっている、
ことを特徴とする請求項１記載の定量噴射機構。
【請求項３】
前記下カバー体は、
その内周面に、前記環状部材受け部として作用するリブ状部を有している、
ことを特徴とする請求項２記載の定量噴射機構。
【請求項４】
前記下カバー体は、
前記流入弁作用部の下カバー体側構成要素を保持し、かつ、前記環状部材受け部として作用する筒状起立部を前記流入部の回りの内底面部に有している、
ことを特徴とする請求項２記載の定量噴射機構。
【請求項５】
前記下カバー体は、
前記流入弁作用部の下カバー体側構成要素を保持する筒状起立部を前記流入部の回りの内底面部に有し、
前記リブ状部および前記筒状起立部それぞれの上端部分が同じ高さに設定されて、当該上端部分の双方が前記環状部材受け部として作用する、
ことを特徴とする請求項３記載の定量噴射機構。
【請求項６】
前記上カバー体およびこれに取り付けられた前記下カバー体は、
前記ハウジングに対する外付けタイプのユニット構造の態様で設定されている、
ことを特徴とする請求項２乃至５のいずれかに記載の定量噴射機構。
【請求項７】
請求項１乃至６のいずれかに記載の定量噴射機構を備え、かつ、噴射剤および内容物を収容した、
ことを特徴とするエアゾール式製品。
【発明の詳細な説明】
【技術分野】
【０００１】
本発明は、エアゾール式製品に用いられる定量噴射機構に関する。
特にエアゾール式製品の噴射操作と連動するステムを収容したハウジングの内部の下流側定量室、および当該下流側定量室と連通し、当該ステムの移動により容器本体内容物の流入弁作用部がそれまでの開状態から閉状態へと移行するタンク構造の上流側定量室を備えた、定量噴射機構に関する。
【０００２】
このタンク構造の上流側定量室は、通常のハウジング内部に設定される（下流側）定量室のいわば容量不足を補っている。
【０００３】
本発明は、定量室容量を拡充するための上流側定量室に任意の個数（一個単位または複数個積み重ねた単位）の環状部材を選択的に配設保持できるようにし、これにより定量噴射機構の組み立てにともないハウジング（下流側定量室）へ付加される形の上流側定量室の容量を、簡単かつ容易に調整可能としたものである。
【背景技術】
【０００４】
本件出願人はすでに、ハウジング内部の下流側定量室およびこれと付加連通状態の上流側定量室を備えたエアゾール式製品において、この上流側定量室の容量を調整可能にした定量室噴射機構を提案し、権利化している（特許文献１参照）。
【０００５】
ここでは、
(11)ハウジング[4]に取り付けられる上カバー体[6]と、当該上カバー体に取り付けられる下カバー体[7]とでハウジング外側の上流側定量室を構成し、
(12)この上流側定量室の実質的容量（下流側定量室と連通する空間域容量）を調整するための異なる径からなる複数の仕切筒[9,10]を準備し、
(13)上カバー体[6]の天井面部分には同心円状の複数の環凹状部[6f]を形成し、また下カバー体[7]の底面部分には同じく同心円状の複数の上向き環凹状部[7g]を形成し、
(14)定量噴射機構の組立て段階で、エアゾール式製品の用途や噴射対象内容物の種類などに対応した所定サイズの仕切筒[9,10]を、これに合致する特定の下向き環凹状部と上向き環凹状部との間に選択的に取り付ける、
ようにしている。
【特許文献１】特開２００８−３０８１９７号公報
【発明の開示】
【発明が解決しようとする課題】
【０００６】
以上の提案にかかる定量室噴射機構は、その組立て作業に際し、複数経の中から選択した所定径サイズの仕切筒[9,10]を、これに対応した上カバー体[6]の環凹状部[6f]と下カバー体[7]の上向き環凹状部[7g]との間に係合保持している。
【０００７】
これにより、もともとの上流側定量室として使用可能な空間域全体から仕切筒内側空間域のみを確実，正確に選択的に設定可能とし、それと下流側定量室とのいわば合算範囲である定量室実空間域の容量調整作業の精度を高めることができるといった利便性を備えている。
【０００８】
本発明は、このようにエアゾール容器のハウジング内部の下流側定量室と連通する上流側定量室の容量を調整するための具体的手段についての発想を代えたものである。
【０００９】
すなわち、提案済みの定量噴射機構の場合、上流側定量室を内外の空間域に区分けしてその内側空間域と下流側定量室とからなる空間域全体を実定量室としている。
【００１０】
本発明の場合、この上流側定量室を内外の各空間域に区分けするのではなく、上流側定量室の中に内部容量調整用の環状部材を一個または複数個入れることにより、その入れた分だけ上流側定量室の内部容量を減らすといった発想に基づいている。
【００１１】
ここで内部容量調整用の部材形状を「環状」としたのは、内部容量調整後の上流側定量室構造がハウジング，ステムなどの他の構成要素にとっての組立て阻害要因となる、のを防止するためである。
【００１２】
本発明ではこのようにハウジング内部の下流側定量室と連通する上流側定量室の実質的な内部容積を変化させるためのツールとして、その中にいわば単に入れるだけの任意個数（一個または複数個）の環状部材を用い、これにより定量室全体の実容量設定に際しての自由度，作業容易性を積極的に担保し、各種のエアゾール式製品に合致した形の新たな視点にたつ定量噴射機構の具体化，製品化を図ることを目的とする。
【００１３】
また、上流側定量室をハウジングへの外付けする形にして、当該ハウジングや、その中のステムおよびその取付け相手であるマウンティングキャップなどの構成要素に適宜、既存のものを用い、これにより定量噴射機構の各構成部品の有効利用化や機構全体のコストダウン化を図ることを目的とする。
【課題を解決するための手段】
【００１４】
本発明は、以上の課題を次のようにして解決する。
（１）エアゾール式製品の噴射操作と連動するステム（例えば後述のステム２）を収容したハウジング（例えば後述のハウジング４）の内部の下流側定量室（例えば後述の下流側定量室Ｂ）、および当該下流側定量室と連通し、当該ステムの移動により容器本体内容物の流入弁作用部（例えば後述の定量室流入弁体２ｄ，弁座３）がそれまでの開状態から閉状態へと移行する構造の上流側定量室（例えば後述の上流側定量室Ａ）を備えた定量噴射機構において、
前記上流側定量室は、
その中に内部容量調整用の環状部材（例えば後述の環状部材８）が一個単位または複数個積み重ねた単位で配設されたときにそれぞれの単位全体を受けて保持するための環状部材受け部（例えば後述の外側環状起立部７ｃ、リブ状部７ｅ）を、定量室内底面から離間した所定高さ部分に有している、
構成に設定する。
（２）上記（１）において、
前記上流側定量室は、
前記ハウジングと一体で下開口の上カバー体（例えば後述の上カバー体６）と、
当該上カバー体に取り付けられて、前記容器本体内容物の流入部（例えば後述の孔部７ａ）を底面部分に備えた上開口の下カバー体（例えば後述の下カバー体７）と、からなっている、
構成に設定する。
（３）上記（２）において、
前記下カバー体は、
その内周面に、前記環状部材受け部として作用するリブ状部（例えば後述のリブ状部７ｅ）を有している、
構成に設定する。
（４）上記（２）において、
前記下カバー体は、
前記流入弁作用部の下カバー体側構成要素（例えば後述の弁座３）を保持し、かつ、前記環状部材受け部として作用する筒状起立部（例えば後述の外側環状起立部７ｃ）を前記流入部の回りの内底面部に有している、
構成に設定する。
（５）上記（３）において、
前記下カバー体は、
前記流入弁作用部の下カバー体側構成要素（例えば後述の弁座３）を保持する筒状起立部（例えば後述の外側環状起立部７ｃ）を前記流入部の回りの内底面部に有し、
前記リブ状部および前記筒状起立部それぞれの上端部分が同じ高さに設定されて、当該上端部分の双方が前記環状部材受け部として作用する、
構成に設定する。
（６）上記（２）〜（５）において、
前記上カバー体およびこれに取り付けられた前記下カバー体は、
前記ハウジングに対する外付けタイプのユニット構造の態様で設定されている、
構成に設定する。
【００１５】
以上の構成からなる定量噴射機構、およびこの定量噴射機構を備えたエアゾール式製品を本発明の対象としている。
【発明の効果】
【００１６】
本発明は、このようにハウジング内部の下流側定量室と連通する上流側定量室の実質的な内部容積を変化させるためのツールとして、その中にいわば単に入れるだけの任意個数（一個または複数個）の環状部材を用いているので、定量室全体の実容量設定に際しての自由度，作業容易性を積極的に担保し、各種のエアゾール式製品に合致した形の新たな視点にたつ定量噴射機構の具体化，製品化を図ることができる。
【００１７】
また、上流側定量室をハウジングへ外付けする形にして、当該ハウジングや、その中のステムおよびその取付け相手であるマウンティングキャップなどの構成要素に適宜、既存のものを用いた場合には、定量噴射機構の各構成部品の有効利用化や機構全体のコストダウン化を図ることができる。
【図面の簡単な説明】
【００１８】
【図１】液化ガス仕様のエアゾール式製品における定量噴射機構（上流側定量室の下カバー体に流入シール弁を別途設けた形の定量噴射機構）の静止モードを示す説明図である。
【図２】図１の定量噴射機構の作動モードを示す説明図である。
【発明を実施するための最良の形態】
【００１９】
図１および図２を用いて本発明を実施するための最良の形態を説明する。
【００２０】
なお、以下のアルファベット付き参照番号の構成要素（例えば通路部分１ａ）は原則として、当該参照番号の数字部分の構成要素（例えば操作ボタン１）の一部であることを示している。
【００２１】
図１および図２において、
Ａはハウジングの外側でカバー体内部に設定される上流側定量室，
Ｂはハウジング内部に設定される下流側定量室，
Ｃは容器本体（図示省略）から上流側定量室Ａおよび下流側定量室Ｂへ流入する内容物の概略的な流れ方向（図１の静止モード），
Ｄは上流側定量室Ａおよび下流側定量室Ｂから外部空間域へ噴射される内容物の概略的な流れ方向（図２の作動モード），
をそれぞれ示している。
【００２２】
また、
１は利用者の押圧操作に基づき上下動するタイプの操作ボタン，
１ａは内容物や噴射剤の通路部分，
１ｂは当該通路部分に続く噴射孔，
をそれぞれ示している。
【００２３】
また、
２は操作ボタン１と嵌合して上下方向に連動するステム，
２ａは内容物や噴射剤の内部通路域，
２ｂは作動モードにおいて内部通路域２ａと後述のハウジング４の下流側定量室形成用の内部空間域（下流側定量室Ｂ）とを連通させる孔部，
２ｃは孔部２ｂより下方の外周面に形成されて後述のコイルスプリング５の上端部分を受ける環状段部，
２ｄは当該ステムの下端側部分に形成された円柱状の定量室流入弁体（容器本体内容物の流入弁作用部），
２ｅは定量室流入弁体２ｄの表面側四箇所に設定されて、金型成形にともなう「ヒケ」の発生を防止するための上下方向切欠状部，
２ｆは環状段部２ｃの下方部分から定量室流入弁体２ｄの上方部分までのステム外周面に周方向飛び飛びの態様で複数形成された内容物通過用の上下方向溝状部，
をそれぞれ示している。
【００２４】
また、
３はステム２の定量室流入弁体２ｄとのシール作用を呈して、弾性変形可能な筒状の弁座（容器本体内容物の流入弁作用部の下カバー体側構成要素），
３ａは当該弁座の上端内側に形成された逆スカート形状のシール作用面，
４はステム２を上下動可能な形で収容して下流側定量室Ｂを設定し、かつ、自らの下端部分が弁座３の上端部分に当接する態様で配設された筒状のハウジング，
４ａは当該ハウジングの大径上側筒状部と小径下側筒状部との境界部分に形成されて後述のコイルスプリング５の下端部分を受けるリブ状段部（環状段部），
４ｂは当該ハウジングの下端側に周方向飛び飛びの態様で複数形成され、内外方向（図示横方向）の内容物移動域として作用する切欠状部，
をそれぞれ示している。
【００２５】
また、
５はステム２の環状段部２ｃとハウジング４のリブ状段部４ａとの間に配設されて当該ステムを上方向に付勢するコイルスプリング，
６はハウジング４に嵌合して付加ユニット（上流側定量室Ａの設定ユニット）の上側部分を構成する環状の上カバー体，
６ａは当該上カバー体の上面中央に形成されてハウジング４の外周面と嵌合する筒状中央起立部，
６ｂは当該上カバー体の下面外端側に形成されて後述の下カバー体７と嵌合する下開きの環凹状部，
をそれぞれ示している。
【００２６】
また、
７は上カバー体６の環凹状部６ｂと嵌合して付加ユニット（上流側定量室Ａの設定ユニット）の下側部分を構成する鞘状の下カバー体，
７ａは当該下カバー体の底面中央部分に形成されて容器本体からの内容物が流入する孔部（容器本体内容物の流入部），
７ｂは孔部７ａの外側の底面部分に形成された内側環状起立部，
７ｃは内側環状起立部７ｂの外側に形成されて、当該内側環状起立部との間に弁座３が嵌合固定される外側環状起立部（環状部材受け部として作用する筒状起立部），
７ｄは外側環状起立部７ｃの上端部分にその周方向飛び飛びの態様で複数形成され、切欠状部４ｂと同様に内外方向（図示横方向）の内容物移動域として作用する凹状部，
７ｅは周方向飛び飛びの態様で、それぞれが当該下カバー体内部の底面外側部分（段部）の径方向からこれに続く内周面縦方向に外側環状起立部７ｃの上端と同じ高さまで連続して形成されたＬ字状のリブ状部（環状部材受け部）、
をそれぞれ示している。
【００２７】
また、
８はそれぞれ同一形状からなり、定量室噴射機構組立ての際に、下カバー体７の外側環状起立部７ｃおよびリブ状部７ｅそれぞれの上端面部分に任意個数（図示の場合は一個，二個または三個）載置されて上流側定量室Ａの内部容量（定量室全体の内部容量）を調整するための環状部材，
９は周知のエアゾール容器本体（図示省略）の開口端部側に取り付けられたマウンティングキャップ，
１０はハウジング４の上端側開口部分とマウンティングキャップ９の開口部側天井面との間に設けられて当該ハウジングの内部空間域（下流側定量室Ｂ）のシール作用を呈するステムガスケット，
１１は下カバー体７の中央下筒状部に取り付けられた内容物流入用のチューブ，
をそれぞれ示している。
【００２８】
ここで、操作ボタン１，ステム２，弁座３，ハウジング４，上カバー体６，下カバー体７およびチューブ１１などはポリプロピレン，ポリエチレン，ポリアセタール，ナイロン，ポリブチレンテレフタレートなどからなるプラスチック製のものである。
【００２９】
また、コイルスプリング５および環状部材８は金属製やプラスチック製のものである。マウンティングキャップ９は金属製のものであり、ステムガスケット１０はプラスチック製やゴム製のものである。
【００３０】
ハウジング外側の上流側定量室Ａは概略、弁座３の上面、ハウジング４の下側外周面，上カバー体６の天井面および下カバー体７の内面などにより画定される空間域である。
【００３１】
ハウジング内部の下流側定量室Ｂは概略、ステム２の外周面、弁座３のシール作用面３ａ，ハウジング４の内周面およびステムガスケット１０の天井面などにより画定される空間域である。この下流側空間域に容量調整用の環状部材８が必要に応じて設定される。
【００３２】
上流側定量室Ａおよび下流側定量室Ｂは、ハウジング４の内外方向の切欠状部４ｂを介する形で連通している。
【００３３】
図示の定量噴射機構の基本的特徴は、当該定量噴射機構の組立て段階において、その定量室（ハウジング外側の上流側定量室Ａ＋ハウジング内部の下流側定量室Ｂ）の実質的全体容量を環状部材８の配設個数に応じる形で減らせることである。
【００３４】
図示の場合、定量室流入弁の弁座３から定量室流出弁のステムガスケット１０までの定量室容量は例えば「1.5cc〜1.8cc」である。
【００３５】
上流側定量室Ａを構成する下カバー体７の内部に環状部材８を一個配設することにより、この弁座３からステムガスケット１０までの定量室容量が「0.2cc」程小さくなる。
【００３６】
環状部材８はすべて同一形状からなっている。
噴射対象内容物（容器本体内容物）の種類などに応じて定量室容量を減じる場合には、その定量噴射機構の組立て作業工程において、容量低減目標に対応する任意個数（図示の場合は一個〜三個）の環状部材８がいわば積重ね状態で下カバー体７の内部の外側環状起立部７ｃおよびリブ状部７ｅに載置される。
【００３７】
このように環状部材８をただ外側環状起立部７ｃおよびリブ状部７ｅに載置するだけの簡単な作業で、定量噴射機構の定量室（上流側定量室Ａ＋下流側定量室Ｂ）の実質的全体容量が当該環状部材の大きさ単位で調整される。
【００３８】
これにより、上流側定量室Ａの容積が直に調整され、エアゾール式製品の用途や容器内容物(放出対象内容物）の種類などの違いに応じた容量を持つ定量室（上流側定量室Ａ＋下流側定量室Ｂ）が適宜設定（選択）されえる。
【００３９】
エアゾール式製品の用途などに応じて上流側定量室Ａに環状部材８が配設されない状態で、すなわち最大容量の定量室のまま使用されえるのは勿論である。
【００４０】
なお、内側環状起立部７ｂと外側環状起立部７ｃとの間の環状部分に弁座３を嵌合固定し、かつ、外側環状起立部７ｃおよびリブ状部７ｅに環状部材８を載置した下カバー体７の上端側部分に上カバー体６の環凹状部６ｂを嵌合固定させる、ことによりその全体をいわばユニット構造体として取り扱うことができる。
【００４１】
このユニット構造体は、それを構成する上カバー体６の筒状中央起立部６ａがハウジング４の上側外周面部分に図示のように嵌合固定される。
【００４２】
図１の静止モードにおけるステム２は、コイルスプリング５の弾性作用によってステムガスケット１０と密接し、かつ、その下端側の定量室流入弁体２ｄが弁座３のシール作用面３ａから離間している。
【００４３】
そのため容器本体の内容物は、噴射剤（液化ガス）の作用によりチューブ１１およびその先の孔部７ａを介した概略Ｃ方向の流れで定量室（上流側定量室Ａ＋下流側定量室Ｂ）に流入して、そこに収容される。
【００４４】
静止モードの操作ボタン１が押圧されると、これと一体のステム２がコイルスプリング５の弾性力に抗しながら下動して図２の作動モード（定量噴射状態）に移行する。
【００４５】
すなわちステム２が下動するのにともない、その定量室流入弁体２ｄと弁座３のシール作用面３ａとが密接して定量室への内容物流入側が閉じ、かつ、孔部２ｂがステムガスケット１０よりも下方に位置してそれまでの下流側定量室Ｂと内部通路域２ａとの間のシール状態が解除される。定量室流入弁体２ｄと密接するシール作用面３ａは全体として外方に変形する。
【００４６】
その結果、定量室（上流側定量室Ａ＋下流側定量室Ｂ）の全体が「凹状部７ｄ−切欠状部４ｂ−上下方向溝状部２ｆ−孔部２ｂ−内部通路域２ａ−通路部分１ａ−噴射孔１ｂ」を介して外部空間域と連通する。
【００４７】
なお、「凹状部７ｄ−切欠状部４ｂ−上下方向溝状部２ｆ」は上流側定量室Ａに対応した経路部分である。
【００４８】
この連通により、静止モードの定量室に入っていた所定量の内容物はそれといわば混在している液化ガスの作用により概略Ｄ方向の流れで噴射孔１ｂから外部に噴射される。
【００４９】
なお、操作ボタン１の押圧操作の終了にともないステム２がコイルスプリング５の弾性力によって図１の静止モード位置に復帰することは勿論である。
【００５０】
本発明が以上の実施形態に限定されないこと勿論であり、例えば、
(21)高さが異なる環状部材８を選択的に用いる、
(22)外側環状起立部７ｃおよびリブ状部７ｅの一方のみを環状部材８の載置部として作用させる、
(23)環状部材８を、外側環状起立部７ｃの外周面と、リブ状部７ｅの対向内面または当該リブ状部を形成しない場合の下カバー体７の内周面との間に挟持する、
(24)下カバー体７とは別部材の弁座３を用いることに代えて、当該下カバー体の一部、例えば内側環状起立部７ｂを定量室流入弁体２ｄに対しての流入弁機能が備わった形状，性状のものに設定する（上述の特開２００８−３０８１９７号公報参照）
ようにしてもよい。
【００５１】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，芳香剤，洗濯のり，ウレタンフォーム，消火器，接着剤，潤滑剤などの各種用途のものがある。
【００５２】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５７】
高分子化合物としては、メチルセルロース，ゼラチン，デンプン，カゼイン，ヒドロキシエチルセルロース，キサンタンガム，カルボキシビニルポリマーなどを用いる。
【００５８】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの殺虫剤・害虫忌避剤、酸化亜鉛などの制汗剤、ローズオイル、リナロールなどの香料、植物抽出物などの消臭剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５９】
さらに、上記内容物以外の、懸濁剤，紫外線吸収剤，乳化剤，保湿剤，酸化防止剤、金属イオン封鎖剤なども用いることができる。
【００６０】
内容物噴射用ガスとしては、液化石油ガス，ジメチルエーテル，フロロカーボンなどの液化ガスを用いる。
【符号の説明】
【００６１】
Ａ：上流側定量室
Ｂ：下流側定量室
Ｃ：定量室へ流入する内容物の概略的な流れ方向（静止モード）
Ｄ：定量室から外部空間域へ噴射される内容物の概略的な流れ方向（作動モード）
【００６２】
１：操作ボタン
１ａ：内容物や噴射剤の通路部分
１ｂ：噴射孔
２：ステム
２ａ：内容物や噴射剤の内部通路域
２ｂ：孔部
２ｃ：環状段部
２ｄ：定量室流入弁体（容器本体内容物の流入弁作用部）
２ｅ：上下方向切欠状部
２ｆ：上下方向溝状部
【００６３】
３：弾性変形可能な弁座（容器本体内容物の流入弁作用部）
３ａ：シール作用面
４：ハウジング
４ａ：リブ状段部（環状段部）
４ｂ：切欠状部
５：コイルスプリング
６：上カバー体
６ａ：筒状中央起立部
６ｂ：下開きの環凹状部
【００６４】
７：下カバー体
７ａ：内容物流入用の孔部
７ｂ：内側環状起立部
７ｃ：外側環状起立部
７ｄ：凹状部
７ｅ：リブ状部
８：環状部材
９：マウンティングキャップ
１０：ステムガスケット，
１１：チューブ
【図１】
2014028631.tif 000003
【図２】
2014028631.tif 000004